(57)【特許請求の範囲】
【請求項１】
複数種類の測定装置から、複数種類の測定データを、被測定者を特定するデータとともに収集するデータ入力部と、
前記複数種類の測定データを含む送信データを通信媒体へ出力するデータ出力部と、
データの送信先毎に、前記送信データにおける前記複数種類の測定データの送信順を登録する優先順位記憶部と、
前記データ入力部により収集されたデータのうち、同一の被測定者の複数種類の測定データを、前記優先順位記憶部に記憶された送信順に従って配置し、配置した測定データに前記被測定者を示す被測定者識別子を含めたデータを、前記送信データとして生成する送信データ生成部とを備えたことを特徴とするデータ送受信装置。
【請求項２】
前記送信データに含める被測定者識別子を、前記複数種類の測定装置に登録されている被測定者識別子のうちいずれにするかを示すデータを、データの送信先毎に登録する記憶部をさらに備え、
前記送信データ生成部は、当該記憶部のデータに従って、前記複数種類の測定装置のいずれかに登録されている被測定者識別子を、前記被測定者を示す被測定者識別子として各送信データに含める、請求項１に記載のデータ送受信装置。
【請求項３】
前記複数種類の測定データの送信順が、データ送信先のデータ処理装置から、前記通信媒体を介して登録される、請求項１または２に記載のデータ送受信装置。
【請求項４】
複数種類の測定装置による同一被測定者の測定データと、各測定装置に設定された識別子と、前記被測定者を特定する被測定者識別子とを含む送信データを受信するデータ受信部と、
前記送信データを、前記被測定者識別子ごとに、記憶する送信データ記憶部とを備え、
前記各測定装置に設定された識別子は、各測定データ利用者がそれぞれ前記被測定者に提供した測定装置ごとに固有に設定された識別子であり、
前記測定データ利用者のデータ処理装置から、通信媒体を介して、各測定データ利用者が前記被測定者に提供した測定装置のいずれかの識別子が入力されると、前記送信データ記憶部から、当該識別子に該当する送信データに含まれる前記複数種類の測定装置による同一被測定者の測定データを、前記通信媒体を介して前記データ処理装置へ出力することを特徴とするデータ管理装置。
【請求項５】
前記測定データ利用者に対し、当該測定データ利用者が提供した測定装置による測定データを出力した場合の料金よりも、当該測定装置以外の測定装置による測定データを出力した場合の料金を高く設定する、請求項４に記載のデータ管理装置。
【請求項６】
前記測定データ利用者のデータ処理装置毎に、前記測定データへのアクセスレベルが設定された、請求項４または５に記載のデータ管理装置。
【請求項７】
データ管理装置から通信媒体を介して測定データを取得し利用する、測定データ利用者のデータ処理装置であって、
前記測定データ利用者が被測定者に提供した測定装置に設定した識別子を記憶する識別子記憶部を備え、
前記データ管理装置は、複数種類の測定装置による同一被測定者の測定データを、前記被測定者を示す被測定者識別子ごとに、各測定装置に設定された識別子と関連付けて記憶し、
前記データ管理装置へ、前記識別子記憶部に記憶した識別子を、通信媒体を介して入力し、当該識別子に関連付けて記憶された前記複数種類の測定装置による前記被測定者の測定データを、前記通信媒体を介して取得することを特徴とするデータ処理装置。
【請求項８】
複数種類の測定装置から、複数種類の測定データを、被測定者を特定するデータとともに収集し、
収集されたデータのうち、同一の被測定者の複数種類の測定データを、データの送信先毎にコンピュータに記憶された前記複数種類の測定データの送信順に従って配置し、配置した測定データに前記被測定者を示す被測定者識別子を含めたデータを送信データとして生成し、
前記送信データを通信媒体へ出力することを特徴とする処理をコンピュータに実行させるためのプログラム。
【請求項９】
複数種類の測定装置による同一被測定者の測定データと、各測定装置に対し当該測定装置を被測定者へ提供した各測定データ利用者がそれぞれ固有に設定した識別子と、前記被測定者を特定する被測定者識別子とを含む送信データを受信し、受信した送信データを、前記被測定者識別子ごとに、送信データ記憶部に格納し、
前記各測定データ利用者のうちいずれかのデータ処理装置から、通信媒体を介して前記測定データ利用者が前記被測定者に提供した測定装置の識別子が入力されると、前記送信データ記憶部から、当該識別子に該当する送信データに含まれる前記複数種類の測定装置による同一被測定者の測定データを、前記通信媒体を介して前記データ処理装置へ出力することを特徴とする処理をコンピュータに実行させるためのプログラム。
【請求項１０】
複数種類の測定装置による同一被測定者の測定データを、前記被測定者を示す被測定者識別子ごとに、各測定装置を提供した各測定データ利用者により各測定装置に設定された識別子と関連付けて記憶したデータ管理装置へ、通信媒体を介して、被測定者に提供された各測定装置のいずれかの識別子を入力し、
前記データ管理装置において当該識別子に関連付けて記憶された前記複数種類の測定装置による同一被測定者の測定データを、前記通信媒体を介して前記データ管理装置から取得し利用することを特徴とする処理をコンピュータに実行させるためのプログラム。
【発明の詳細な説明】
【０００１】
【発明の属する技術分野】
本発明は、例えば、血糖値、血圧、脈拍、体温、および体重等の生体データを自宅等で測定し、その測定結果を医療機関などに送信して利用するための、データ送受信装置、データ管理装置、およびデータ処理装置に関する。
【０００２】
【従来の技術】
従来、心電図を測定する心電計、血圧および脈拍を測定する血圧計、血液中の糖濃度を測定する血糖計等の測定装置から測定データを受信し、受信した測定データを記憶すると共に、その測定データに被測定者の認識データを付加して病院等に送信する、いわゆる在宅用健康管理装置が知られている。
【０００３】
このような従来の在宅用健康管理装置では、一般的に、家族が共有することを前提として、一台で複数の使用者の測定データを管理できるように構成されている。このため、使用者の各々に、各人を特定するための個人ＩＤ等を予め付与しておき、在宅用健康管理装置を使用するとき最初に、画面の指示に従って使用者の個人ＩＤを設定入力させたり、予め個人ＩＤを記憶させた磁気カード等を装置に読み取らせたりすることにより、使用者が誰であるかを装置が認識できるようになっている。
【０００４】
また、近年は、血圧計や小型血糖測定装置等の在宅用測定装置にデータ出力機能を持たせ、測定装置から家庭のパーソナルコンピュータ等へ測定データを取り込んで管理するシステムや、通院時に、持参した測定装置を病院のコンピュータへ接続して測定データを送信し、その測定データを医師が診察時に利用するシステムも、提案されている。
【０００５】
特に、小型血糖測定装置において、測定装置毎に固有の装置ＩＤを記憶し、測定結果を病院のコンピュータへ送信する際に、装置ＩＤと測定データとを関連づけて送信することにより、病院のコンピュータ側で、送信された測定データがどの患者のものであるかを判別できるようにしたものが知られている。
【０００６】
さらに、特開２０００−８３９０７号公報には、血圧計や体温計、血糖値測定装置等の複数種類の測定装置からデータを取り込み、センターにデータを送信し、患者の健康状態を管理することができる在宅用測定装置が開示されている。
【０００７】
【発明が解決しようとする課題】
前記公報に開示された装置をはじめ、従来の在宅用測定装置は、一般的に、測定データの送信先が一施設に限定されている。これは、例えば血糖測定装置等は、一般に、病院で医師の処方箋に基づいて患者に提供されるものであるので、データの送信先は当該病院に限られるという考えに基づく。
【０００８】
しかし、例えば、ある病院の糖尿病外来（内科）で診察を受け、血糖測定装置を提供された糖尿病患者が、例えば糖尿病白内障やその他の合併症の治療のため、眼科等の他の診療科あるいは他の病院で診察を受ける場合等は、データを２カ所以上に送信する必要がある。この場合、１カ所に送信を行った後、送信先を設定しなおして、再度、送信を行わなければならない。
【０００９】
また、小型血糖測定装置等、個人での使用を前提とした装置では、装置内の記憶部に、装置ＩＤおよび使用者ＩＤを記憶する機能を有し、病院等が患者へ提供する際に、病院内で患者を特定するために用いている患者ＩＤを使用者ＩＤとして設定するものがある。このような装置の場合、例えば、前述の糖尿病外来の患者ＩＤが設定されていたとすると、この患者ＩＤとは異なる患者ＩＤを用いている他の診療科または他の病院へデータを送信するためには、当該装置の使用者ＩＤを設定しなおす必要があり、操作が煩雑であるという問題があった。
【００１０】
また、例えば、糖尿病患者の場合、患者の病状を正確に診断するためには、血糖値だけでなく、尿糖や体脂肪率等、複数種類の生体データを総合的に判断することが必要である。このため、血糖測定装置、尿分析装置、および体脂肪計等の複数種類の測定装置による測定データを患者から得る必要がある。
【００１１】
しかし、従来は、複数種類の測定データを、在宅用測定装置から病院等へ送信する際に、これらの測定データの優先順位を考慮した装置はなかった。このため受信側で、受信したデータを受信側のシステムに適合したデータに変換するか、送信側で、受信側のシステムに適合したデータ送信装置を準備する必要があり、システムの開発費がかさむという問題があった。
【００１２】
本発明はこれらの問題を解決するために、複数種類の測定装置による測定データを効率よく利用するデータ処理装置と、前記複数種類の測定データを、利用し易い形式で前記データ処理装置へ提供するデータ送受信装置およびデータ管理装置とを提供することを目的とする。
【００１３】
【課題を解決するための手段】
上記の目的を達成するために、本発明にかかるデータ送受信装置は、複数種類の測定装置から、同一被測定者の測定データを収集するデータ入力部と、前記複数種類の測定データを含む送信データを通信媒体へ出力するデータ出力部と、データの送信先毎に、前記送信データにおける前記複数種類の測定データの送信順を登録する優先順位記憶部と、前記優先順位記憶部に記憶された送信順に従って、前記複数種類の測定データを配置することにより、前記送信データを生成する送信データ生成部とを備えたことを特徴とする。
【００１４】
この構成によれば、複数種類の測定装置による同一被測定者の測定データは、送信先である医療機関等のデータ処理装置へ、各送信先に応じて予め登録された順序で送信されることとなる。例えば、送信先での重要度が高い順に複数種類の測定データを配置して送信することにより、送信先でのデータ処理効率が向上する。また、測定データの送信順は、送信先毎に設定登録することが可能であるので、複数の送信先がある場合でも、各送信先に応じた順序で、複数種類の測定データを送信することができる。これにより、複数種類の測定データを送信先で利用し易い形式で送信することが可能なデータ送受信装置を提供できる。
【００１５】
前記データ送受信装置において、各送信データに対応する被測定者を特定するための送信データ識別子として、前記複数種類の測定装置のいずれかに登録されている被測定者識別子を用いることが好ましい。
【００１６】
これにより、例えば、被測定者と測定データの送信先との取り決め等に応じて、所定の測定装置に登録されている被測定者識別子を用いることにより、送信先におけるデータの処理効率をさらに向上させることができる。例えば、病院が患者へ提供する血糖計等の測定装置に、当該病院が当該患者に付与している患者ＩＤを被測定者識別子として登録しておき、データ送受信装置が、この患者ＩＤを、当該血糖計の測定データを含む送信データの送信データ識別子として用いるようにすれば、当該病院のデータ処理装置は、送信データ識別子に基づき、送信データがどの患者のデータであるかを容易に特定できる。
【００１７】
前記データ送受信装置において、前記複数種類の測定データの送信順が、データ送信先のデータ処理装置から、前記通信媒体を介して登録されることが好ましい。
【００１８】
この構成によれば、被測定者が、データ送受信装置に測定データの送信順を設定する作業を行う必要がないので、操作が容易なデータ送受信装置を提供することができる。
【００１９】
また、前記の目的を達成するために、本発明にかかるデータ管理装置は、複数種類の測定装置による同一被測定者の測定データと、各測定装置に設定された識別子とを含む送信データを受信するデータ受信部と、前記送信データを記憶する送信データ記憶部とを備え、前記識別子は、前記被測定者に提供した測定装置に対して測定データ利用者が固有に設定した識別子であり、前記測定データ利用者のデータ処理装置から、通信媒体を介して前記識別子が入力されると、前記送信データ記憶部から、当該識別子に該当する送信データに含まれる前記複数種類の測定データを、前記通信媒体を介して前記データ処理装置へ出力することを特徴とする。
【００２０】
この構成によれば、複数種類の測定装置から受信した同一被測定者の測定データが、各測定装置に設定された識別子と共に記憶されている。前記識別子は、測定データ利用者が被測定者へ提供した測定装置に設定された識別子である。この識別子を検索キーとして入力することにより、測定データ利用者は、当該測定装置の測定データのみならず、当該測定データと共に記憶されている他の測定装置による測定データを、このデータ管理装置から取得することができる。これにより、複数の医療機関等が複数種類の測定装置による測定データを共用することが可能となり、実質的に、被測定者から複数の送信先へ測定データを送信するのと同じ効果が得られる。
【００２１】
前記データ管理装置は、前記測定データ利用者に対し、当該測定データ利用者が提供した測定装置による測定データを出力した場合の料金よりも、当該測定装置以外の測定装置による測定データを出力した場合の料金を高く設定することが好ましい。
【００２２】
前記データ管理装置は、前記測定データ利用者のデータ処理装置毎に、前記測定データへのアクセスレベルが設定されたことが好ましい。これにより、測定データのセキュリティを保持し、被測定者のプライバシーを保護することが可能となる。
【００２３】
上記の目的を達成するために、本発明のデータ処理装置は、データ管理装置から通信媒体を介して測定データを取得し利用する、測定データ利用者のデータ処理装置であって、被測定者に提供した測定装置に前記測定データ利用者が設定した識別子を記憶する識別子記憶部を備え、前記データ管理装置は、複数種類の測定装置による同一被測定者の測定データを、各測定装置に設定された識別子と関連付けて記憶し、前記データ管理装置へ、前記識別子記憶部に記憶した識別子を、通信媒体を介して入力し、当該識別子に該当する送信データに含まれる前記複数種類の測定データを、前記通信媒体を介して取得することを特徴とする。
【００２４】
この構成によれば、被測定者に提供した測定装置に設定した識別子を用いることにより、当該測定装置による測定データのみならず、当該測定データと共に記憶されている他の測定装置による測定データを取得することができる。これにより、複数のデータ処理装置が複数種類の測定装置による測定データを共用することが可能となり、実質的に、被測定者から複数のデータ処理装置へ測定データを送信するのと同じ効果が得られる。
【００２５】
上記の目的を達成するために、本発明にかかる第１のプログラムは、複数種類の測定装置から、同一被測定者の測定データを収集し、データの送信先に応じて設定された送信順で、前記複数種類の測定データを配置することにより、送信データを生成し、前記送信データを通信媒体へ出力することを特徴とする処理をコンピュータに実行させるためのプログラムである。
【００２６】
このプログラムをコンピュータに読み込んで実行させることにより、本発明にかかるデータ送受信装置を実現することができる。
【００２７】
上記の目的を達成するために、本発明にかかる第２のプログラムは、複数種類の測定装置による同一被測定者の測定データと、各測定装置に対し当該測定装置を被測定者へ提供した測定データ利用者が固有に設定した識別子とを含む送信データを受信し、前記測定データ利用者のデータ処理装置から、通信媒体を介して前記識別子が入力されると、前記送信データ記憶部から、当該識別子に該当する送信データに含まれる前記複数種類の測定データを、前記通信媒体を介して前記データ処理装置へ出力することを特徴とする処理をコンピュータに実行させるためのプログラムである。
【００２８】
このプログラムをコンピュータに読み込んで実行させることにより、本発明にかかるデータ管理装置を実現することができる。
【００２９】
上記の目的を達成するために、本発明にかかる第３のプログラムは、複数種類の測定装置による同一被測定者の測定データを、各測定装置に設定された識別子と関連付けて記憶したデータ管理装置へ、通信媒体を介して、被測定者に提供した測定装置に前記測定データ利用者が設定した識別子を入力し、当該識別子に該当する送信データに含まれる前記複数種類の測定データを、前記通信媒体を介して取得し利用することを特徴とする処理をコンピュータに実行させるためのプログラムである。
【００３０】
このプログラムをコンピュータに読み込んで実行させることにより、本発明にかかるデータ処理装置を実現することができる。
【００３１】
【発明の実施の形態】
（実施の形態１）
【００３２】
以下、本発明の一実施形態について、図面を参照しながら説明する。
図１に示すように、本実施形態の測定データ送受信システムは、携帯端末装置１（測定データ送受信装置）と、医療機関等のデータ処理装置３ａ〜３ｃと、本システムの管理者のサーバ４（データ管理装置）とが、インターネット等の通信網５を介して、相互に接続される構成である。
【００３３】
携帯端末装置１は、携帯電話型端末または携帯情報端末等によって実現され、移動体通信を利用して、通信網５に接続する。また、携帯端末装置１は、各家庭にある測定装置から測定データを収集するデータ収集機能と、収集した測定データを、前記サーバ４を介して、他のコンピュータ等へ送信するデータ送信機能とを有する。なお、これらの機能以外に、従来の携帯端末装置に一般的に搭載されている、インターネット接続機能、メール送受信機能、またはスケジュール管理機能等の任意の機能を持っていてもよい。
【００３４】
携帯端末装置１が測定データを収集する測定装置としては、生体情報をセンサで直接測定したり、生体より取り出した血液や尿等の体液成分をセンサ等で検出したりする任意の装置を適用できる。例えば、前者の、生体情報をセンサで直接測定する測定装置の例としては、本実施形態に挙げた血圧計２ｂおよび体脂肪計２ｄの他に、体重計、心電図計、または体温計等が考えられる。また、後者の装置の例としては、本実施形態の血糖計２ａおよび尿分析装置２ｃの他に、血液中の乳酸値を測る装置等がある。
【００３５】
使用者は、複数種類の測定装置を、順次、携帯端末装置１に接続して測定を行った後、測定したデータをまとめてデータ処理装置３ａ〜３ｃへ送信することができる。この際に、携帯端末装置１は、送信先に応じた順序で測定データを並べ替え、送信先に応じた使用者ＩＤを、送信データに付加する。付加される使用者ＩＤは、いずれかの測定装置に登録されている使用者ＩＤ等である。どのような順で測定データを配置するか、およびどの測定装置の使用者ＩＤを送信データに付加するかは、携帯端末装置１に予め登録する。
【００３６】
なお、図１では、携帯端末装置１を１台のみ図示したが、本システムは複数の携帯端末装置１と接続可能である。また、データ処理装置の台数およびその種類も任意である。
【００３７】
ここで、本システムに適用可能な測定装置の一般的な内部構成について、図２を参照しながら説明する。
【００３８】
図２に示すように、血糖計２ａ等の測定装置は、測定部２１、変換部２２、メモリ２３、時計２４、制御部２５、通信部２６、装置情報保持部２７、および表示部２８を備えている。
【００３９】
測定部２１は、各測定装置の用途に応じたセンサを有し、制御部２５の制御の下で、データの測定を行う。例えば、測定装置が心電図計である場合には、測定部２１は、患者の胸部や手足に接触させる電極が前記センサとなり、この電極により活動電位を測定する。また、例えば血糖計２ａの場合は、患者が指先等から採取した微量な血液を付着させた試験紙から電気的または光学的に血糖値を測定するセンサが、測定部２１に設けられる。
【００４０】
変換部２２は、制御部２５の制御の下で、測定部２１により得られた情報（例えば、電極からの電流値や試験紙の反射率等）に対し、Ｉ／Ｖ変換またはＡ／Ｄ変換等の処理を施すことによって測定値を求め、これを表示部２８に表示させると共に、測定データとしてメモリ２３に記憶させる。このとき、測定データに関連付けて、時計２４から得られたデータ測定日時の情報も、メモリ２３に記憶される。
【００４１】
制御部２５は、ＣＰＵ等により構成され、プログラムに従って動作することにより、測定装置の各部の動作を制御する。通信部２６は、携帯端末装置１のデータ通信ポートに、ケーブル等を介してまたは無線通信により接続され、制御部２５の制御の下で、測定データ等を携帯端末装置１へ送信する。表示部２８は、液晶ディスプレイ等を有し、操作指示等に関するメッセージ等を表示する。
【００４２】
装置情報保持部２７は、当該測定装置に関する種々の情報を記憶しており、ＥＥＰＲＯＭ等の書換え可能な不揮発性メモリや、電源バックアップが施されたＲＡＭ等により実現される。前記情報とは、測定装置の各々に固有に割り当てられている機器ＩＤの他、種々の情報を含む。
【００４３】
図３は、携帯端末装置１の内部構成を示すブロック図である。携帯端末装置１は、制御部としてのＣＰＵ１１、測定装置から送信された測定データ等を記憶するデータ記憶部１２、使用者へ種々の情報を提示するための表示部１３、時計１４、測定装置から測定データがアナログデータとして送信された場合にこれをディジタルデータに変換するＡ／Ｄ変換器１５、測定装置からデータを受信するための第１のデータ通信ポート１６、通信網５へデータを送信するための第２のデータ通信ポート１７を有する。なお、この他に、コンピュータに直接データを送信するための、さらに他のデータ通信ポート等を備えていてもよい。また、データの通信方法は、有線に限らず、赤外線通信や無線通信等でもよい。
【００４４】
以下、本システムの動作について説明する。
【００４５】
最初に、使用者が複数の測定装置で測定を行い、その測定データを携帯端末装置１に記憶させる手順について説明する。ここでは、使用者が、糖尿病患者であり、病院の指導により、血糖値および血圧の測定結果と、尿分析の結果とを、定期的に病院へ送信するものとする。
【００４６】
使用者は、まず、携帯端末装置１の第１のデータ通信ポート１６に、ケーブルにより、血糖計２ａを接続する。携帯端末装置１と血糖計２ａとを接続した後、使用者は、携帯端末装置１を血糖値入力モードに設定する。
【００４７】
次に、使用者は、血糖計２ａのセンサ挿入部に使い捨てのセンサを取り付け、センサに指先等から採取した血液を付着させる。センサに血液を付着させると、測定部２１により自動的に測定が開始され、変換部２２により得られた血糖値は、時計２４から得られた測定日時情報と共に、血糖計２ａのメモリ２３に記憶される。このとき、血糖計２ａの通信部２６により、測定された血糖値、測定日時情報、および装置情報保持部２７に記憶されている当該血糖計２ａの機器ＩＤおよび使用者ＩＤが、携帯端末装置１へ送信される。
【００４８】
ここで、血糖計２ａから携帯端末装置１へ送信され、データ記憶部１２に記憶されるデータの一例を、図４に示す。送信データは、第１ブロックに、機種名、機器ＩＤ、測定日、および測定時刻をそれぞれ表すテキストを含み、第２ブロックに、使用者ＩＤ、および測定データをそれぞれ表すテキストを含む。データは、開始コード“ＳＴＸ”で始まり、ブロック終了コード“ＥＴＢ”が第１ブロックの終了を表し、終了コード“ＥＴＸ”でデータの送信終了を表している。
【００４９】
すなわち、図４の例では、機種名が「ＧＴ−１６７０」、機器ＩＤが「１２３４−９８７６５」、測定日が「２０００／０５／１５」、測定時刻が「１０：４５」である。また、使用者ＩＤが「２３３４２２１１」、測定データが「１２０ｍｇ／ｄｌ」である。なお、図４において、□は空白文字を示す。
【００５０】
次に、使用者は、血圧計２ｂの電源を入れ、血圧計２ｂの出力ポートと、携帯端末装置１の第１のデータ通信ポート１６とを、ケーブルにより接続し、携帯端末装置１の動作モードを血圧値入力モードに設定する。次に、使用者が、血圧計２ｂの測定開始ボタンを押すことにより、血圧計２ｂの測定部２１により、最高血圧および最低血圧が測定される。
【００５１】
血圧の測定が終了すると、使用者が血圧計２ｂの送信ボタンを押すことにより、血圧計２ｂの通信部２６より、測定データ等が携帯端末装置１へ送信される。送信されるデータは、測定日、測定時間、最高血圧値、最低血圧値、および脈拍数である。血圧計２ｂから送信されたデータは、携帯端末装置１のデータ記憶部１２に記憶される。なお、血圧計２ｂは、血糖計２ａ等とは異なり、機器ＩＤを持たないので、携帯端末装置１は、図５に示すように、受信したデータの先頭に、当該データが血圧計からのデータであることを示す「Ｂ−ＰＲＥＳＳＵＲＥ」というテキストを付加してデータ記憶部１２に記憶する。
【００５２】
次に、使用者は、尿分析装置による測定を行う。分析項目は、尿糖（ＧＬＵ）、尿蛋白（ＰＲＯ）、ｐＨ、および尿潜血（ＢＬＤ）の４項目である。使用者は、尿分析装置のデータ出力ポートと、携帯端末装置１の第１のデータ通信ポート１６とを、ケーブルにより接続すると共に、携帯端末装置１の動作モードを、尿分析結果入力モードに設定する。そして、前記４項目の試験紙が貼付された試験片を保存容器から取り出し、紙コップ等に採取した尿につけて、尿分析装置の測定部２１にセットする。以上の準備ができたら、使用者は、尿分析装置のスタートボタンを押す。
【００５３】
尿分析装置は、測定部２１において試験紙の反射率を測定し、測定された反射率を変換部２２において各項目の濃度に換算する。その結果は、メモリ２３に記録され、表示部２８に表示されると共に、通信部２６から携帯端末装置１へ送信される。なお、尿分析装置は、時計機能を内蔵しておらず、携帯端末装置１へ送信されるデータには、測定時刻は含まれないものとする。
【００５４】
図６に、尿分析装置から携帯端末装置１へ送信されるデータの一例を示す。図６に示すように、尿分析装置から送信されるデータの第１ブロックには、装置名（ＡＭ−４２９０）、使用試験紙名（４ＡＵ）が含まれ、第２ブロックには、４項目の測定結果が含まれる。第２ブロックの各項目の測定結果は、項目名、定性結果、および半定量値を含む。
【００５５】
携帯端末装置１は、このデータを受信すると、時計１４から日時データを取得し、受信したデータに付加して、データ記憶部１２に記憶する。図６に示すデータがデータ記憶部１２に記憶されるときの状態を、図７に示す。図７に示すように、携帯端末装置１は、第１ブロックの装置名の後に、測定日を表すレコードと測定時刻を表すレコードとを付加する。
【００５６】
以上の手順により、血糖計２ａ、血圧計２ｂ、および尿分析装置２ｃによる測定が終了する。なお、これらの測定データは、携帯端末装置１により送信時に所定の優先順位に従って並べ替えられるので、測定の順序は任意でよい。また、血糖計２ａ等の測定装置と携帯端末装置１との接続は、ケーブル接続に限らず、ホームＲＦやＢｌｕｅＴｏｏｔｈ等を利用したワイヤレス接続であってもよい。
【００５７】
使用者は、測定が終了すると、携帯端末装置１から病院へ測定データの送信を実行する。
【００５８】
なお、携帯端末装置１には、複数の使用者情報（氏名、使用者ＩＤ等）と、複数のデータ送信先情報（病院や検査機関等のアドレス）とを記憶することができるようになっている。また、使用者と送信先との組み合わせに応じて、送信するデータの項目、送信時のデータの優先順、および送信データに付加すべきＩＤとしていずれのＩＤを使用するかを、設定することができる。
【００５９】
具体的には、例えば、１台の携帯端末装置１を４人家族（Ａさん〜Ｄさん）で共有している場合、携帯端末装置１には、Ａ、Ｂ、Ｃ、Ｄの４名の氏名や使用者ＩＤを登録できる。例えば、Ｂさんのデータ送信先として、フィットネスクラブのデータ処理装置（図１に示すデータ処理装置３ａ）、および病院の糖尿病外来のデータ処理装置（図１に示すデータ処理装置３ｂ）の２カ所を、登録することが可能である。
【００６０】
また、例えば、Ｂさんが、フィットネスクラブで体脂肪率および体重の減少を目標としたプログラムを設定している場合、フィットネスクラブのデータ処理装置３ａへのデータ送信を、体脂肪計２ｄのデータ、体重計（図示せず）のデータ、血圧計２ｂのデータの順に送信するように設定すれば、このデータを受信するフィットネスクラブにとって、データ処理上、都合がよい。
【００６１】
また、例えば、Ｂさんが、病院の糖尿病外来へ、血糖値、尿分析結果、および血圧の３種類の測定データを送信する場合、最も重要視されるのは血糖値であるので、測定データの先頭部分に血糖値があることが、受信側のデータ処理装置での処理上、最も都合がよい。
【００６２】
また、送信されたデータが誰のデータであるかを受信側のデータ処理装置等で特定可能とするために、送信するデータに使用者を識別するＩＤ（送信時ＩＤ）を付与することが必要であるが、前述したように、携帯端末装置１においては、受信側のデータ処理装置等に応じて、いずれかの測定装置に登録されている使用者ＩＤ等を用いるよう、予め設定するようになっている。
【００６３】
例えば、前述のＢさんが、診察を受けている糖尿病外来から血糖計２ａを貸与されており、この血糖計２ａには、当該病院によりＢさんに付与されている患者ＩＤが、使用者ＩＤとして貸与時に登録されているものとすれば、この血糖計２ａの使用者ＩＤを、前記の送信時ＩＤとすることが、受信側である糖尿病外来ののデータ処理装置での処理上、最も都合がよい。また、体脂肪計２ｄがフィットネスクラブから貸与され、フィットネスクラブのＢさんの会員番号が使用者ＩＤとして体脂肪計２ｄに登録されている場合は、体脂肪計２ｄの使用者ＩＤを送信時ＩＤとすることが、フィットネスクラブのデータ処理上、都合がよい。
【００６４】
なお、送信時ＩＤとして、いずれかの測定装置に登録されている使用者ＩＤ以外のものを用いることも可能であり、この場合には、送信時ＩＤとして使用するＩＤを、携帯端末装置１に登録しておくことができる。
【００６５】
これらデータ送信の優先順位および送信時ＩＤは、各使用者が携帯端末装置１で直接設定することもできるが、携帯端末装置１をデータ受信側のデータ処理装置と通信網４を介して接続し、データ処理装置から携帯端末装置１へ設定データを送信することによって設定してもよい。
【００６６】
ここで、前述のＢさんが、病院の糖尿病外来のデータ処理装置３ｂへ測定データを送信するものとして、携帯端末装置１の操作方法について説明する。使用者であるＢさんは、まず、携帯端末装置１の動作モードを、データ送信モードに設定する。次に、図８（ａ）に示すように、予め登録されている使用者情報に基づいて携帯端末装置１の画面に表示される使用者名一覧１０１の中から、自分の氏名を選択し、決定ボタン１０２を選択する。
【００６７】
これにより、携帯端末装置１の画面表示が変わり、図８（ｂ）に示すように、送信先を選択する画面が現れる。この画面には、Ｂさんの測定データの送信先として予め登録されている施設名一覧１０３等が表示される。Ｂさんは、ここで、施設名一覧１０３から、糖尿病外来を送信先として選択し、決定ボタン１０４を選択する。
【００６８】
これにより、携帯端末装置１の画面表示がさらに変わり、図８（ｃ）に示すように、送信手順の確認画面が表示される。この確認画面は、測定データの送信先の名称等を表示する送信先表示欄１０５、送信される測定データの順番を表示する送信順表示欄１０６、送信される測定データを識別するために用いられるＩＤを表示する送信時ＩＤ表示欄１０７、決定ボタン１０８、および変更ボタン１０９を含む。
【００６９】
図８（ｃ）の確認画面において、Ｂさんがデータの送信順や送信時ＩＤを変更したい場合には、変更ボタン１０９を選択することにより、これらを変更するための画面を表示させることができる。一方、図８（ｃ）の確認画面でＢさんが決定ボタン１０８を選択した場合には、携帯端末装置１に記憶されているＢさんの測定データが、通信網５およびサーバ４を介して、病院の糖尿病外来のデータ処理装置３ｂへ送信される。
【００７０】
この場合、送信時ＩＤとして、血糖計２ａに登録されている使用者ＩＤを用いるように設定されているので、携帯端末装置１は、血糖計２ａから送信された測定データ（図４参照）に含まれる使用者ＩＤを先頭として、設定された優先順に従って、すなわち、血糖値、尿分析結果、血圧の順に測定データを結合して、図９に示すような送信用データを作成する。
【００７１】
この送信用データは、通信網５およびサーバ４を介して、宛先である糖尿病外来のデータ処理装置３ｂへ送られ、受信される。データ処理装置３ｂでは、送信されたデータの先頭に付加されているＩＤが、この糖尿病外来から患者に貸与している血糖計２ａの使用者ＩＤすなわち患者ＩＤであるので、送信されたデータがどの患者から送られたものであるかを容易に識別することができる。また、送信されたデータは、受信側で重要視されると思われる順に、測定データが配置されているので、特に、送信されたデータをテキスト形式のまま画面表示または印刷出力した場合等に、医師等が当該データを識別することが容易となる。
【００７２】
（実施の形態２）
本発明の他の実施形態について、説明する。
【００７３】
本実施形態にかかる測定データ送受信システムは、実施の形態１で図１に示したものと同様のシステム構成であるが、携帯端末装置１から送信された測定データが、病院等のデータ処理装置３ａ等へ直接送信されるのではなく、サーバ４に蓄積される点において、実施の形態１のシステムと異なっている。データ処理装置３ａは、必要な時に、サーバ４へアクセスし、必要なデータを取得する。
【００７４】
本実施形態のシステムにおいて、各使用者が、複数の測定装置により測定を行い、携帯端末装置１に測定データを記憶させる手順は、実施の形態１と同様である。測定終了後、携帯端末装置１は、測定データを、実施の形態１と同様の形式で、サーバ４へ送信する。
【００７５】
サーバ４は、測定データを受信する毎に、送信時ＩＤ毎すなわち使用者毎に、記憶装置（図示省略）に記憶する。なお、各使用者の測定データは、所定の期間（例えば１ヶ月等）または所定の回数（例えば１００回）、サーバ４に蓄積記憶される。
【００７６】
病院等のデータ処理装置３ａ…は、データが必要なときに、サーバ４へアクセスし、所定の機器ＩＤを検索キーとして、サーバ４の記憶装置から、所望の測定データを、所望の期間または回数分、取得する。
【００７７】
例えば、病院の眼科外来のデータ処理装置３ｃの場合、当該眼科の外来患者に貸与している血圧計２ａの機器ＩＤを検索キーとして、サーバ４の記憶装置を検索する。なお、本実施形態では、病院等から使用者へ貸与される測定装置には固有の機器ＩＤが付与されており、測定データと共に、この機器ＩＤが測定装置から携帯端末装置１へ送信されるようになっている。すなわち、例えば、眼科外来から、白内障患者等の血圧を観察するために血圧計２ｂを貸与する場合、眼科外来のデータ処理装置３ｃに、当該血圧計２ｂの機器ＩＤを登録しておけば、この機器ＩＤを用いて、当該患者の測定データを特定することができる。
【００７８】
また、サーバ４には、病院等から貸与された測定装置以外の測定装置による測定結果も記憶されている。すなわち、携帯情報端末１からは、実施の形態１で説明したように、例えば、血糖計２ａで測定された血糖値、血圧計２ｂで測定された血圧、および尿分析装置２ｃによる尿分析結果等、複数種類の測定装置による測定データがまとめて送信され、使用者毎に、サーバ４に記憶されている。
【００７９】
従って、データ処理装置３ａ等は、貸与した測定装置の機器ＩＤを検索キーとすることにより、当該測定装置を使用する患者について、当該測定装置による測定データだけでなく、他の測定装置による測定データを取得できる。
【００８０】
これにより、例えば、前述の眼科外来の白内障患者が糖尿病性白内障である場合、眼科の医師が、当該患者に貸与した血圧計２ｂの測定データだけでなく、例えば当該患者が糖尿病外来から貸与された血糖計２ａにより測定した血糖値データも、サーバ４から取得することができる。すなわち、眼科外来のデータ処理装置３ｃは、血糖計２ａの機器ＩＤを知らなくても、血糖計２ａの測定データにアクセスすることが可能となる。
【００８１】
なお、サーバ４において、データ処理装置３ａ…の各々に対し、記憶装置に記憶されている測定データへのアクセスを有料としてもよい。この場合、検索キーとなる機器ＩＤを有する装置の測定データに対するアクセス料金よりも、これ以外の装置の測定データへのアクセス料金を高く設定することも考えられる。例えば、患者に貸与した血圧計の機器ＩＤを検索キーとして用いる、眼科外来のデータ処理装置３ｃの場合、血圧データよりも、血糖値データや尿分析結果等へのアクセス料金を高く設定することが可能である。
【００８２】
また、データのセキュリティ保持や個人のプライバシー保護の観点から、データ処理装置毎に、アクセス可能な測定データの種類を制限してもよい。例えば、病院のデータ処理装置３ｂ・３ｃからは全てのデータにアクセス可能とする一方、フィットネスクラブのデータ処理装置３ａからは、体脂肪計２ｄや体重計のような測定データにはアクセスできるが、血糖計や尿分析装置等の測定データのように個人の病状等を判定可能なデータにはアクセスできないようにすることが考えられる。
【００８３】
なお、実施の形態１および２では、データ送受信装置として携帯端末装置１を用いる例を示したが、携帯型の装置に限定されず、例えば家庭のパーソナルコンピュータ等を用いることもできる。また、本発明のデータ送受信装置としての機能をあらかじめ組み込んだ携帯端末装置またはコンピュータとして実施することも可能であるが、本発明のデータ送受信装置の機能を実行させるプログラムを作製し、一般的な携帯端末装置またはコンピュータに、このプログラムを読み込んで実行させることにより、本発明のデータ送受信装置を実現できる。
【００８４】
本発明のデータ管理装置およびデータ処理装置についても、同様に、当該機能を実行させるプログラムを作製し、一般的なパーソナルコンピュータ、ワークステーション、またはホストコンピュータ等の任意のコンピュータに、このプログラムを読み込んで実行させることにより、実現することができる。
【００８５】
【発明の効果】
以上に説明したように、本発明によれば、複数種類の測定装置による測定データを効率よく利用するデータ処理装置と、前記複数種類の測定データを、利用し易い形式で前記データ処理装置へ提供するデータ送受信装置およびデータ管理装置とを提供できる。
【図面の簡単な説明】
【図１】  本発明の一実施形態にかかるデータ送受信システムの概略構成を示すブロック図である。
【図２】  前記データ送受信システムに適用される測定装置の一般的な構成を示すブロック図である。
【図３】  前記データ送受信システムを構成するデータ送受信装置としての携帯端末装置の概略構成を示すブロック図である。
【図４】  前記測定装置の一例としての血糖計から前記携帯端末装置へ送られるデータの一例を示す説明図である。
【図５】  前記測定装置の一例としての血圧計から前記携帯端末装置へ送られるデータの一例を示す説明図である。
【図６】  前記測定装置の一例としての尿分析装置から前記携帯端末装置へ送られるデータの一例を示す説明図である。
【図７】  前記携帯端末装置に記憶される、前記尿分析装置による測定データの一例を示す説明図である。
【図８】  （ａ）〜（ｃ）は、前記携帯端末装置の画面の表示例を示す説明図である。
【図９】  前記携帯端末装置から病院等のデータ処理装置へ送信される送信データの一例を示す説明図である。
【符号の説明】
１          携帯端末装置
２ａ        血糖計
２ｂ        血圧計
２ｃ        尿分析装置
２ｄ        体脂肪計
３ａ〜３ｃ  データ処理装置
４          サーバ
５          通信網
【図１】
0004742182.tif 000002
【図２】
0004742182.tif 000003
【図３】
0004742182.tif 000004
【図４】
0004742182.tif 000005
【図５】
0004742182.tif 000006
【図６】
0004742182.tif 000007
【図７】
0004742182.tif 000008
【図８】
0004742182.tif 000009
【図９】
0004742182.tif 000010